(57)【要約】【課題】伝送信号の広帯域化に柔軟に対応してアイドル電流を自動調整し得る電力増幅装置及び電力増幅装置のバイアス制御方法を提供する。【解決手段】電力増幅装置１内にインタフェース部１４，１５を内蔵させ、かつ制御部１６に送信周波数情報とアイドル電流のデフォルト値とを対応付けて記憶するメモリ１６１を備えて、インタフェース部１４，１５に接続される上位の送信制御装置２またはパーソナル・コンピュータ３から送信周波数情報が送られたときに、制御部１６にてこの送信周波数情報に対応するアイドル電流のデフォルト値をメモリから読み出して、このデフォルト値に基づいて、ＦＥＴ１２に与えられるアイドル電流がデフォルト値になるようにＦＥＴ１２のバイアス電圧を調整するようにしている。【選択図】      図１
2010068230.tif 000002
【特許請求の範囲】
【請求項１】
入力信号を送信周波数の伝送信号に電力増幅する増幅素子に対し、前記送信周波数に対応するアイドル電流を与えてバイアス調整を行う電力増幅装置において、
前記送信周波数情報と前記アイドル電流のデフォルト値とを対応付けて記憶する記憶部と、
通信機器を接続可能とし、前記通信機器との間の通信制御機能を有するインタフェース部と、
前記インタフェース部に接続される通信機器から前記送信周波数情報が送られたとき、前記送信周波数情報に対応する前記アイドル電流のデフォルト値を前記記憶部から読み出す制御部と、
この制御部から読み出されたデフォルト値に基づいて、前記増幅素子のバイアス電圧を調整するバイアス調整部とを具備したことを特徴とする電力増幅装置。
【請求項２】
前記制御部は、前記インタフェース部に接続される通信機器からの要求に応じて、前記記憶部に記憶されるデフォルト値を変更する変更手段を備えたことを特徴とする請求項１記載の電力増幅装置。
【請求項３】
入力信号を送信周波数の伝送信号に電力増幅する増幅素子に対し、前記送信周波数に対応するアイドル電流を与えてバイアス調整を行う電力増幅装置のバイアス制御方法において、
前記送信周波数情報と前記アイドル電流のデフォルト値とを対応付けて記録媒体に記憶し、
通信機器から前記送信周波数情報が送られたとき、前記送信周波数情報に前記アイドル電流のデフォルト値を前記記録媒体から読み出し、
読み出されたデフォルト値に基づいて、前記増幅素子のバイアス電圧を調整するようにしたことを特徴とする電力増幅装置のバイアス制御方法。
【発明の詳細な説明】
【技術分野】
【０００１】
この発明は、例えば放送局内で使用される電力増幅装置及びこの電力増幅装置のバイアス制御方法に関する。
【背景技術】
【０００２】
放送局にあっては、番組情報信号を放送波に電力増幅して送出する電力増幅装置が使用されている。この電力増幅装置は、内部のＦＥＴ（電界効果型トランジスタ）にアイドル電流が与えられることにより、バイアス調整を行っている。
【０００３】
ところで、上記ＦＥＴのアイドル電流は初期設定を行なった後、調整することなく固定値としている。また、ＩＭ性能達成のための調整はマッチングコンデンサで行なっていた。よって、送信周波数によって部品が予め決められているため、広帯域化に対応することができない。また、送信周波数が決まらなければ調整を行うことができず、ユニットの作り込みができない。
【０００４】
なお、この種に関連する従来技術として、特許文献１に、電波形式、変調方式又は送信チャネル情報に対応してバイアス設定データを記憶したメモリを備え、工場出荷時に、電波形式、変調方式又は送信チャネル情報のいずれかが指定されたとき、メモリから対応するバイアス設定データを読み出してデジタル／アナログ変換してバイアス信号としてＦＥＴに供給する電力増幅回路が示されている。
【特許文献１】特願２００７−７４０３９公報。
【発明の開示】
【発明が解決しようとする課題】
【０００５】
ところで、上記技術では、工場出荷時に、設置者が電波形式、変調方式又は送信チャネル情報を１度指定するだけであり、以後電波形式、変調方式又は送信チャネル情報を指定するためには、パーソナル・コンピュータ等の通信機器を接続するための専用インタフェースユニットを別途用意する必要がある。
【０００６】
そこで、この発明の目的は、伝送信号の広帯域化に柔軟に対応してアイドル電流を自動調整し得る電力増幅装置及び電力増幅装置のバイアス制御方法を提供することにある。
【課題を解決するための手段】
【０００７】
上記目的を達成するために、この発明に係る電力増幅装置は、入力信号を送信周波数の伝送信号に電力増幅する増幅素子に対し、送信周波数に対応するアイドル電流を与えてバイアス調整を行う電力増幅装置において、送信周波数情報とアイドル電流のデフォルト値とを対応付けて記憶する記憶部と、通信機器を接続可能とし、通信機器との間の通信制御機能を有するインタフェース部と、インタフェース部に接続される通信機器から送信周波数情報が送られたとき、送信周波数情報に対応するアイドル電流のデフォルト値を記憶部から読み出す制御部と、この制御部から読み出されたデフォルト値に基づいて、増幅素子のバイアス電圧を調整するバイアス調整部とを備えるようにしたものである。
【０００８】
この構成によれば、電力増幅装置内に通信機器接続用のインタフェース部を内蔵し、かつ送信周波数情報とアイドル電流のデフォルト値とを対応付けて記憶する記憶部を備えて、インタフェース部に接続される通信機器から送信周波数情報が送られたときに、この送信周波数情報に対応するアイドル電流のデフォルト値を記憶部から読み出して、このデフォルト値に基づいて、増幅素子に与えられるアイドル電流がデフォルト値になるようにバイアス電圧を調整するようにしている。
【０００９】
従って、別途に通信機器を接続するための専用インタフェースユニットを設置する必要がなくなり、しかも調整工数を大幅に削減でき、送信周波数に関係なくユニットを作り込むことができる。
【００１０】
制御部は、インタフェース部に接続される通信機器からの要求に応じて、記憶部に記憶されるデフォルト値を変更する変更手段を備える。
【００１１】
この構成によれば、将来チャンネル変更が生じた場合でもスムーズに対応できる。
【発明の効果】
【００１２】
以上詳述したようにこの発明によれば、伝送信号の広帯域化に柔軟に対応してアイドル電流を自動調整し得る電力増幅装置及び電力増幅装置のバイアス制御方法を提供することができる。
【発明を実施するための最良の形態】
【００１３】
以下、この発明の実施形態について図面を参照して詳細に説明する。  
図１は、この発明に係る電力増幅装置が適用される放送システムの構成を示すブロック図である。
【００１４】
図１において、放送すべきＲＦ（Radio frequency）信号は、電力増幅装置１の入力端子１１に供給され、ＦＥＴ１２により電力増幅され、出力端子１３から出力される。
【００１５】
ＦＥＴ１２は、ＲＦ信号の送信周波数に応じて無信号のときにＦＥＴ１２内を流れるアイドル電流が調整される。
【００１６】
ところで、本実施形態の電力増幅装置１には、上位の送信制御装置（ＴＸ ＣＯＮＴ）２を接続するインタフェース部１４及びパーソナル・コンピュータ３を接続するインタフェース部１５が内蔵してある。また、電力増幅装置１には、制御部（ＣＯＮＴ基板）１６及びデジタル／アナログ変換部１７が備えられている。
【００１７】
インタフェース部１４は、電力増幅装置１内の制御部１６に送信制御装置２を直接接続するためのプロトコル変換機能と、制御部１６と送信制御装置２との間で制御コマンド等の転送処理を行う機能とを備えている。
【００１８】
インタフェース部１５は、電力増幅装置１内の制御部１６にパーソナル・コンピュータ３を直接接続するためのプロトコル変換機能と、制御部１６とパーソナル・コンピュータ３との間で制御コマンド等の転送処理を行う機能とを備えている。
【００１９】
制御部１６は、メモリ１６１を備えている。このメモリ１６１には、図２に示すように、送信周波数とＦＥＴ１２のアイドル電流のデフォルト値とを対応付けたテーブルが記憶されている。そして、制御部１６は、送信制御装置２またはパーソナル・コンピュータ３から送信周波数情報を受信した場合に、送信周波数に対応するデフォルト値をメモリ１６１から読み出す。このデフォルト値は、デジタル／アナログ変換部１７でデジタル信号からアナログ信号に変換されてＦＥＴ１２に供給される。すると、ＦＥＴ１２は、アイドル電流がデフォルト値になるようにバイアス電圧が制御される。
【００２０】
また、制御部１６は、送信制御装置２またはパーソナル・コンピュータ３からの登録変更要求に応じて、メモリ１６１の記憶内容を更新する機能を有する。
【００２１】
次に、上記構成において、ＦＥＴ１２のバイアス制御処理について説明する。  
図３は、制御部１６のバイアス制御処理手順を示すフローチャートである。まず、制御部１６は、送信制御装置２またはパーソナル・コンピュータ３からの送信周波数情報の到来を判断し（ステップＳＴ３ａ）、到来した場合には、その送信周波数（例えばａ［ＧＨｚ］）に対応するデフォルト値（ａａ）をメモリ１６１から読み出し（ステップＳＴ３ｂ）、このデフォルト値（ａａ）をデジタル／アナログ変換部１７を介してＦＥＴ１２に供給し、ＦＥＴ１２のアイドル電流がデフォルト値（ａａ）になるように、ＦＥＴ１２のバイアス電圧を調整する（ステップＳＴ３ｃ）。
【００２２】
上記のような構成において、送信周波数をａ［ＧＨｚ］からｂ［ＧＨｚ］に変更する場合、従来は、ｂ［ＧＨｚ］専用のユニットに交換したり、手操作によりｂ［ＧＨｚ］に対応するデフォルト値（ｃｃ）に設定する必要があったが、本実施形態の場合、送信制御装置２またはパーソナル・コンピュータ３を接続し、送信制御装置２またはパーソナル・コンピュータ３から送信周波数情報を送信するだけでよく、電力増幅装置１本体に何ら手を加える必要がない。
【００２３】
また、将来、新たな送信周波数が出現したとしても、それに対応するデフォルト値を送信制御装置２またはパーソナル・コンピュータ３によりメモリ１６１に書き加えるだけでよい。
【００２４】
以上のように上記実施形態では、電力増幅装置１内にインタフェース部１４，１５を内蔵させ、かつ制御部１６に送信周波数情報とアイドル電流のデフォルト値とを対応付けて記憶するメモリ１６１を備えて、インタフェース部１４，１５に接続される上位の送信制御装置２またはパーソナル・コンピュータ３から送信周波数情報が送られたときに、制御部１６にてこの送信周波数情報に対応するアイドル電流のデフォルト値をメモリ１６１から読み出して、このデフォルト値に基づいて、ＦＥＴ１２に与えられるアイドル電流がデフォルト値になるようにＦＥＴ１２のバイアス電圧を調整するようにしている。
【００２５】
従って、別途に上位の送信制御装置２またはパーソナル・コンピュータ３を接続するための専用インタフェースユニットを設置する必要がなくなり、しかも調整工数を大幅に削減でき、送信周波数に関係なくユニットを作り込むことができる。
【００２６】
また、上記実施形態では、制御部１６に、インタフェース部１４，１５に接続される送信制御装置２またはパーソナル・コンピュータ３からの要求に応じて、メモリ１６１に記憶されるデフォルト値を変更する機能を備えているので、将来チャンネル変更が生じた場合でもスムーズに対応できる。
【００２７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２８】
【図１】この発明に係る電力増幅装置が適用される放送システムの一実施形態の構成を示すブロック図。
【図２】上記図１に示したメモリの記憶内容の一例を示す図。
【図３】同実施形態における制御部のバイアス制御処理手順を示すフローチャート。
【符号の説明】
【００２９】
１…電力増幅装置、２…送信制御装置、３…パーソナル・コンピュータ、１１…入力端子、１２…ＦＥＴ、１３…出力端子、１４，１５…インタフェース部、１６…制御部、１７…デジタル／アナログ変換部、１６１…メモリ。
【図１】
2010068230.tif 000003
【図２】
2010068230.tif 000004
【図３】
2010068230.tif 000005